(57)【要約】      （修正有）【課題】これまでの従来技術では課題としてテレビジョン前面の電源スイッチ釦から後部の電源スイッチを操作する為の機構がセット内部、及び基板上面の部品配置スペースを余分に必要としていた。本発明により、テレビジョン等の電子機器において、後部に配置された電源スイッチを、基板下面に配置したバーを介してテレビジョン前面に設けられた電源スイッチ釦でオン/オフすることで、ノイズにも強く、また部品配置スペースを取らない電源スイッチ操作機構を提供する。 【解決手段】基板５上の後部に設けられた電源スイッチ12ａと、テレビジョンの前面に設けられた電源スイッチ釦2を、テレビジョンの活電部をオン/オフするために基板５下面に配置された樹脂製のバー10にて連結することにより、基板5上面の部品スペースを確保し、更にはノイズに強い電源スイッチ操作機構を提供することが出来る。【選択図】図４
2005347989.tif 000002
【特許請求の範囲】
【請求項１】
少なくとも底面を有するフロントキャビネットと少なくとも後部壁を有するリヤキャビネットが結合される事によりテレビジョン本体の外装が形成され、前記フロントキャビネットの底面上で且つ両側壁内側にレールを有し、また前記リヤキャビネットは後部壁内側にリブを有し、前記フロントキャビネットの両側壁内側のレールによりメイン基板の両サイドが保持され、前期リヤキャビネット後部内側のリブにより前記メイン基板の後部が保持され、また前記テレビジョンの前面にディスプレイモニターのディスプレイ面及び操作スイッチ類が設けられ、前記テレビジョン本体内に後方下部から取り出される電源コードによってＡＣ電源が供給されると共に前記テレビジョンの動作に必要なＤＣ電源を生成する電源回路区画が前記メイン基板上に設けられ、前記電源回路には前記電源コードが接続され、前記電源回路区画内にＡＣ電源入切用の電源スイッチが搭載された電源スイッチ装置において、
前記テレビジョン内部のメイン基板の後部に配置される前記電源回路に設けられた電源スイッチと、前記テレビジョンの前記フロントキャビネット前面に設けられた穴と、前記フロントキャビネットに設けられた穴に内側から挿入される電源スイッチ釦と、前記テレビジョン内部の前記メイン基板下面に設けられた、前記電源スイッチと前記電源スイッチ釦とを連結する非金属材料からなるバーと、前記電源スイッチ釦に押圧力がかけられた時、前記電源スイッチ釦と結合された前記バーを介して前記電源スイッチに押圧力を伝達する事により、前記電源スイッチはストローク分だけ前記電源スイッチをオン/オフ駆動し、前記電源スイッチがオフの時は前記電源スイッチ釦はフロントキャビネットから突出しており、前記電源スイッチがオンの時は前記電源スイッチ釦はストローク分キャビネットの内側方向へ入り込み、前記バーは1箇所もしくは複数のＬ字型フックを有し、前記L字型フックは前記テレビジョン内部のメイン基板に設けられた穴に前記メイン基板の下から挿入され、前記バーが前記電源スイッチ方向に押されることにより前記Ｌ字型フックが前記メイン基板を挟み込み、前記バーの他端と前記電源スイッチが結合し前記バーと前記電源スイッチが固定され、また前記メイン基板に設けられた穴の幅と、前記L字型フックの幅は略同幅であることより、前記バーの左右の位置を固定し、また前記L字型フックと前記電源スイッチ釦と前記電源スイッチは平面上直線上にあることから、前記電源スイッチ釦への押圧力を前記電源スイッチ方向のみに伝達せしめる事を特徴とする電源スイッチ操作機構。
【請求項２】
フロントキャビネットとリヤキャビネットが結合される事によりテレビジョン本体の外装が形成され、前記フロントキャビネットは両側壁内側にレールを有し、前記フロントキャビネットの両側壁内側のレールによりメイン基板の両サイドが保持され、また前記テレビジョンの前面にディスプレイモニターのディスプレイ面及び操作スイッチ類が設けられ、前記テレビジョン本体内に後方下部から取り出される前記電源コードによりＡＣ電源が供給されると共に前記テレビジョンの動作に必要なＤＣ電源を生成する電源回路が前記メイン基板上に設けられ、前記電源回路には電源コードが接続され、前記電源回路にＡＣ電源入切用の電源スイッチが搭載された電源スイッチ装置において、
前記テレビジョン内部のメイン基板に含まれる前記電源回路に設けられた電源スイッチと、前記テレビジョンの前記フロントキャビネット前面に設けられた穴と、前記フロントキャビネットに設けられた穴に内側から挿入される電源スイッチ部と、前記テレビジョン内部の前記メイン基板下面に設けられた、前記電源スイッチと前記電源スイッチ部とを連結するバーと、前記電源スイッチ部に押圧力がかけられた時、前記電源スイッチ部と結合された前記バーを介して前記電源スイッチに押圧力を伝達する事により、前記電源スイッチをオン/オフ駆動し、前記バーはフックを有し、前記フックは前記テレビジョンの基板に設けられた穴に挿入され、前記フックが前記テレビジョンの基板を挟み込む事を特徴とする電源スイッチ操作機構。
【請求項３】
前記リヤキャビネット後部壁内側に設けられたリブで前記メイン基板後部を指示することを特徴とする請求項１及び2項記載の電源スイッチ機構。
【請求項４】
前記押圧力伝達機構は、前記バーの他端に凸部を有し、また電源スイッチは凹部を有し、夫々の凹凸部が勘合する事により、前記バーの他端と電源スイッチを強固に連結する機構を有する請求項1項及び２項記載の電源スイッチ操作機構。
【発明の詳細な説明】
【技術分野】
【０００１】
本発明は、テレビジョンやテレビ・ビデオ複合機等の電子機器に適する電源スイッチ操作機構に関する。
【背景技術】
【０００２】
従来、この種の技術としては、テレビジョンの後部に設けられた電源スイッチを、フロントカバーに設けられた電源スイッチ釦からの押圧力をアイドラギアを介して、前記電源スイッチに伝達する電源スイッチ操作機構が知られている（例えば、特許文献１参照。）。電源スイッチをテレビジョンの後方下部に設ける理由は、電源コードの取り込み口近辺に設けることで電源回路のパターンを最小限にすることでパターンを最小限にすることでパターンによって誘導される電源周波数に起因するノイズを無くそうという意図に基づく。電源周波数は垂直偏向回路の周波数と近似しており、偏向ヨークは電源回路のノイズの影響を受け易い特性を有している。また、電源スイッチをテレビジョン後方下部の基板パターン上に設けることで電源回路をその周辺に限定的に配置する事が可能となり、電源周波数のノイズ発生源の全てと偏向コイルとの距離を充分確保できるのである。
【特許文献１】特許出願公開番号  特開平6-309982
【発明の開示】
【発明が解決しようとする課題】
【０００３】
上記特許文献１の記載によると、アイドラギアを用いて垂直方向の押圧力を水平方向の押圧力に変換して押圧軸にて電子機器後部に設けられた電源スイッチを操作することで電源スイッチ操作機構を提供している。ここで、上記特許文献1では電源スイッチの位置をテレビジョンの後方下部に設けることは出来るが、機構事態が大掛かりとなるため、電子機器内部、すなわち基板上の部品配置スペースを多く必要とし、また金属の駆動機構が電源ノイズを誘導する恐れがあった。
【０００４】
本発明は、上記課題に鑑みてなされたもので、基板上のスペースを多く必要とせず、駆動機構に金属等ノイズ誘導材料を用いずに後方下部設置のＡＣ電源スイッチをテレビジョン前面から操作する機構を提供する事を目的とする。
【課題を解決するための手段】
【０００５】
上記目的を達成する為、電源スイッチは、前記テレビジョンの後部に設けられ、前記電源スイッチ釦は、前面操作カバーに設けられている。前記電源スイッチ釦は非金属材料のバーと結合されており、前記バーの他端はテレビジョンの後部に設けられた前記電源スイッチと結合している。
【０００６】
前記バーは、前記テレビジョンのメイン基板の下面に設けられ、また数箇所にフックを有し、前期基板に設けられた数箇所の穴に前記フックを通す事により、前記バーを固定し、前記メイン基板から外れることを防止し、非金属材料の特性によるたわみを矯正するようにしている。
【０００７】
前記メイン基板に設けられた複数の穴の幅は、前記バーの垂直部分の幅とほぼ同等か、もしくは少し大きく設計される事により、前記バーが左右に位置ズレを起こす事を防止し、前記電源スイッチ方向に直線的に動作し、確実に押圧力を電源スイッチに伝達する事が出来る。
【発明の効果】
【０００８】
以上説明したように、請求項１にかかる発明によれば、電源スイッチと電源スイッチ釦を連結するバーを基板下面に配置する事により、基板上面の部品配置スペースを多く要することなく、また、バーに数箇所のフックを設け、テレビジョンのメイン基板に設けられた穴に挿入する事により、前記バーの左右への位置ずれを防止し、また前記電源スイッチ釦からの押圧力を前記電源スイッチ方向のみに伝達し、バーに設けられたフックにより、テレビジョンのメイン基板から前記バーが落下したり、外れたり、あるいはたわむ事を防止する電源スイッチ操作機構を提供する事が出来る。
【０００９】
また、請求項２にかかる発明によれば、電源スイッチと電源スイッチ部を連結するバーをメイン基板下面に配置する事により、メイン基板上面の部品配置スペースを限定することなく、また、バーにフックを設け、テレビジョンのメイン基板に設けられた穴に挿入する事により、前記バーの左右への位置ずれを防止し、また前記電源スイッチ部からの押圧力を前記電源スイッチ方向のみに伝達する電源スイッチ操作機構を提供する事が出来る。さらに、請求項３にかかる発明によれば、バーの他端に凸部を有し、電源スイッチに凹部を有し、夫々の凹凸部が勘合する事により、バーと電源スイッチとを強固に結合する事が出来る。 
【発明を実施するための最良の形態】
【００１０】
以下、本発明の実施形態について図を参照して説明する。
【００１１】
図1は、テレビジョン受像機の斜視図であり、樹脂製フロントキャビネット１、樹脂製リヤキャビネット２、テレビジョン受像機の電源をオン/オフする電源スイッチ釦５、テレビジョン受像機がスタンバイ状態である事を示すスタンバイ発光ダイオード４、所望のチャンネルを選択する為のチャンネルアップ/ダウン、テレビジョン受像機の音量を調整する為のボリュームアップ/ダウン釦のスイッチ群３から構成される。
【００１２】
図2は、本願発明の実施形態にかかるテレビジョン受像機のキャビネットと、メイン基板８の後方からの斜視図である。メイン基板８は、フロントキャビネット１の底面１ａに設けられたレール７によってその両側面を保持され、またリアキャビネット２の後部壁２ａに設けられたリブ６によってその後部を保持される。更にフロントキャビネット１の底面に設けられたリブ７ａによってその中央部分を保持される。
【００１３】
図3は、本願発明の実施形態にかかるメイン基板８、及び電源スイッチ操作機構を上から見たものを示している。破線部Ａは電源回路部分を示し、ヒューズ、ラインフィルター、整流ダイオード、スイッチングトランス、スイッチングトランジスタ等が設けられている。電源回路はＡＣ電源が供給されると共にテレビジョンの動作に必要なＤＣ電源を生成し、前記電源回路には電源スイッチが設けられており、また偏向ヨーク等へのノイズ飛び込みを押さえる為、電源部はテレビジョンの後部に配置されるのが望ましいことから、メイン基板８の後部に電源スイッチユニット12が配置され、メイン基板８の前部に電源スイッチ釦５が配置されている。また、電源コード13はメイン基板８に半田付けされ、配線パターン13aにより電源スイッチユニット12と接続されている。テレビジョンの電源をオン/オフする電源スイッチ12aは、電源スイッチ釦５とバー10の他端9aで連結されている。Ｌ字型フック9b及びフック9cが、電源スイッチ釦５と電源スイッチ12aを結ぶ直線上に設けられたメイン基板８の穴11b、11cに夫々挿入され基板後部方向に押されることによりL字型フック9b及び9cがメイン基板８を挟み込み、バー10が位置ずれするのを防止している。従来技術では、バー10に金属を用いていたが、ノイズを拾いやすいので、樹脂製の成型品にするとよい。
【００１４】
また、メイン基板８に設けられた穴11ｂ、11ｃに、バー10に設けられたL字型フック9ｂ、9ｃが挿入され基板後部方向に押されることによりL字型フック9b及び9cがメイン基板８を挟み込み、バー10がメイン基板８から落下したり、外れる事を防止している。
【００１５】
さらに、メイン基板８に設けられた穴11ｂ、11ｃの幅は、フック9ｂ、9ｃの幅と同等、もしくは少し大きく設計される事により、バー10の左右の位置ずれを防止し、かつ電源スイッチ釦５に押圧力が加えられたときにバー10が電源スイッチ12aに向かって直線的に動き、押圧力を確実に電源スイッチ12aに伝達する事が出来る。
【００１６】
図4は、図1の破線Ｘによるテレビジョン前面から後部へ向けての断面の概念図を示しており、本願発明の実施形態にかかる基板、及び電源スイッチ操作機構を含むテレビジョン受像機の断面図を示す。偏向ヨーク14aを装着したブラウン管14の下部に本願発明の電源スイッチ機構が配置されている。
【００１７】
図5は、図4の破線部分Ｂを拡大したもので、本願発明の電源スイッチ操作機構の断面図を示す。テレビジョン受像機の前面に設けられた電源スイッチ釦2に押圧力をかけることにより、バー10を介して前記押圧力がバー10の他端を押し、ＡＣ電源スイッチ12aが押され、電源スイッチユニット12がオンとなる。ここで電源ユニット12の電源スイッチ12aはストロークを有し、電源スイッチ12aは押圧力を受ける毎にオン/オフが切り替わる機構となっている。従い再度電源スイッチ釦2に押圧力をかける事により、バー10を介して前記押圧力がバー10の多端を押し、電源スイッチ12aが押され電源ユニット12がオフとなる。前記電源スイッチ釦２は、前記電源スイッチ12aがオフの時は、フロントキャビネット１の前面から突出しており、前記ＡＣ電源スイッチ12aがオンの時は、前記電源スイッチ12aのストローク分フロントキャビネット１の内側方向に沈みこむ。また、バー10がメイン基板８の下面に設けられることにより、メイン基板８の上面のスペースを占有することがないため、メイン基板８上に破線で表す電子部品等の配置スペースの自由度が確保される。
【００１８】
図6は、バー10の他端9aと電源スイッチ12aの結合を横から見た横断面図を示す。バーの他端9aの凸部と、電源スイッチ12aの凹部が勘合することにより、バー10と電源スイッチユニット12との結合を強固にしている。
【００１９】
図7はバー10の他端9aの断面図の斜指図を示す。凸部15により、電源スイッチ12aの凹部と強固に結合する事が出来る。
【００２０】
図8は本願発明の電源スイッチ操作機構の組立て工程を示す。
図（Ａ）は電源スイッチユニット12を含むメイン基板８と、電源スイッチ釦５を有するバー10が完全に離れた組立て前の状態を示す。図（Ｂ）は、メイン基板８の穴にバー10に設けられたフック9ｂ及び9ｃが挿入された組立て過程の状態を示す。図（Ｃ）は、図（Ｂ）からバー10を右側へ移動させることによって、フック9ｂ及び9ｃがメイン基板８と勘合しバー10とメイン基板８が固定される。更に、バーの他端9ａと電源スイッチ12ａの凹凸部が勘合し、強固に結合される。また（C）の状態に組み立てられた後、キャビネット１に挿入され、電源スイッチ釦５はキャビネット１の前面壁の穴に挿入されることで保持される。
【００２１】
図9は、図8（C）の破線部Ｃを拡大したものを示す。前記の通りバー10とメイン基板８が組み立てられ、電源スイッチ釦５に押圧力をかけると、バー10が右方向へ移動し、電源スイッチ12aを押す。この時、バー10の移動量は、電源スイッチのストローク距離15以内であり、また電源スイッチ12aを押すのに十分な距離となっている。また、電源スイッチユニット12がオン/オフいずれの状態にあっても、フック9b及び9cは少なくとも距離16はメイン基板８を挟み込んでいるため、バー10はメイン基板８から外れたり落下したりする事は無い。
【００２２】
このようにメイン基板８上の後部に設けられた電源スイッチ12ａと、テレビジョンの前面に設けられた電源スイッチ釦５を、テレビジョンの活電部をオン/オフするためにメイン基板８下面に配置された樹脂製のバー10にて連結することにより、メイン基板８上面の部品スペースを確保し、更にはノイズに強い電源スイッチ操作機構を提供する。
【図面の簡単な説明】
【００２３】
【図１】本実施形態にかかるテレビジョン受像機の斜視図である。
【図２】本実施形態にかかるテレビジョン受像機のキャビネットを外し、基板をキャビネットから外した後方からの斜視図である。
【図３】実施形態にかかる電源スイッチ操作機構を上から見た図面である。
【図４】実施形態にかかるテレビジョン断面図の概念図である。
【図５】実施形態にかかる電源スイッチ操作機構の断面図である。
【図６】電源スイッチ12aとバー10の他端9aの結合断面図である。
【図７】バー10の他端9aの断面図である。
【図８】実施形態にかかる電源スイッチ機構の組立て過程図である。
【図９】フック9bとメイン基板８の結合部分の拡大図である。
【符号の説明】
【００２４】
1            ・・・・・  フロントキャビネット
1a           ・・・・・  フロントキャビネット底面
2            ・・・・・  リアキャビネット
2a           ・・・・・  リヤキャビネット後部壁
3            ・・・・・  チャンネルアップ/ダウン及びボリュームアップ釦
4            ・・・・・  スタンバイ発光ダイオード
5            ・・・・・  電源スイッチ釦
6            ・・・・・  リアキャビネットレール
7           ・・・・・  フロントキャビネットレール
7a           ・・・・・  リブ
8            ・・・・・  メイン基板
9a           ・・・・・  バー他端
9b/9c         ・・・・・  L字型フック
10          ・・・・・  バー
11a/11b/11c   ・・・・・  基板穴
12            ・・・・・  電源スイッチユニット
12a           ・・・・・  電源スイッチ
13            ・・・・・  電源コード
13a           ・・・・・  配線パターン
14            ・・・・・  ブラウン管
14a           ・・・・・  偏向ヨーク
15            ・・・・・  9a凸部
16            ・・・・・  L字型フック移動距離（電源スイッチストローク距離）
17            ・・・・・  L字型フック引っかかり距離
【図１】
2005347989.tif 000003
【図２】
2005347989.tif 000004
【図３】
2005347989.tif 000005
【図４】
2005347989.tif 000006
【図５】
2005347989.tif 000007
【図６】
2005347989.tif 000008
【図７】
2005347989.tif 000009
【図８】
2005347989.tif 000010
【図９】
2005347989.tif 000011